(57)【要約】【課題】施錠装置が設けられた建築用シャッター装置において、シャッターカーテンの材質に拘わらず操作性のよいシャッター装置を構成する。【解決手段】全閉姿勢のシャッターカーテン３の屋内側面において、操作者の手が届きやすい位置のスラット４に手掛け部材８を設け、該手掛け部材８に係止突部８ｆを形成する一方、シャッターカーテン３に設けられるラッチ錠Ｒの解錠レバー１０ｅに操作紐１１の一端部１１ａを連結し、該操作紐１１の他端部１１ｂに、前記係止突部８ｆに係脱自在に係止する係止受け部１２ｃが形成された握り部材１２を設ける構成とする。【選択図】図５
2010236227.tif 000002
【特許請求の範囲】
【請求項１】
複数枚のスラットを揺動自在に連結してなるシャッターカーテンの下端部に、シャッターカーテンの全閉姿勢への変姿でシャッターカーテンを施錠状態とし、解錠部材の解錠操作で解錠する施錠装置を設け、前記解錠部材に紐状の操作具の一端部を連結して、該操作具の上動操作で施錠装置の解錠とシャッターカーテンの開放とが行えるよう構成するにあたり、前記シャッターカーテンの屋内側面に設けられる手掛け部材に係止部を形成する一方、前記操作具の他端部に、前記係止部に係脱自在に係止する係止受け部が形成された握り部材を設けたことを特徴とする建築用シャッター装置。
【請求項２】
係止受け部は、係止部にスライド係止するように構成されていることを特徴とする請求項１に記載の建築用シャッター装置。
【請求項３】
握り部材は、シャッターカーテンの下端部に設けられる保持部に着脱自在に保持される構成としたことを特徴とする請求項１または２に記載の建築用シャッター装置。
【発明の詳細な説明】
【技術分野】
【０００１】
本発明は、住宅の窓部等に配される建築用シャッター装置の技術分野に関するものである。
【背景技術】
【０００２】
一般に、建築用シャッター装置のなかには、例えば住宅の窓部に設けられるもののように、開口部の左右両側にガイドレールを配し、該ガイドレールに案内される状態でシャッターカーテンが開閉作動するよう構成したものがある。このようなものにおいて、シャッターカーテンを手動により開閉操作するものでは、シャッターカーテンを施錠する施錠装置の解錠レバーに遠隔操作部としての操作紐の一端部を連結し、シャッターカーテンが全閉姿勢となって施錠装置が施錠されている状態では、前記操作紐を上動させることにより、施錠装置を解錠するとともに、シャッターカーテンを開放作動させ、シャッターカーテンが全開姿勢となっている状態では、操作紐を下動させることにより、シャッターカーテンを閉鎖作動させることができるように構成したものが提唱されており、このようにすることで、シャッター装置の操作性の改善が図れるようにしている。
【先行技術文献】
【特許文献】
【０００３】
【特許文献１】特開２００１−７３６１０号公報
【発明の概要】
【発明が解決しようとする課題】
【０００４】
ところで、前記従来のものは、操作紐の遊端部（他端部）に握り部材を設けて操作紐の操作が容易になるようにするとともに、握り部材に磁石を設けて、シャッターカーテンが全開姿勢となっている状態では、握り部材（磁石配設部）を施錠装置よりも下方の開口部に垂下させることで、握り部材を操作者にとって操作しやすい高さに位置させる一方、シャッターカーテンが全閉姿勢となっている状態では、操作紐を解錠レバーよりも上方に引き上げて磁石をシャッターカーテンの室内側面に磁着することにより、握り部材が操作者にとって操作しやすい高さに保持されるようにして、シャッターカーテンの開閉操作を、背伸びしたり、屈んだりすることなく操作性よく行えるようにしている。このため、シャッターカーテンの材料を、磁石が着磁可能な材料に限定しなければならず、汎用性に劣るという問題がある。さらには、シャッターカーテンの開放時に開口部に垂下する操作紐が邪魔になったり、操作紐に連結された握り部材が強風に煽られたような場合では、握り部材が周辺の部材に当接して騒音を発生するという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、複数枚のスラットを揺動自在に連結してなるシャッターカーテンの下端部に、シャッターカーテンの全閉姿勢への変姿でシャッターカーテンを施錠状態とし、解錠部材の解錠操作で解錠する施錠装置を設け、前記解錠部材に紐状の操作具の一端部を連結して、該操作具の上動操作で施錠装置の解錠とシャッターカーテンの開放とが行えるよう構成するにあたり、前記シャッターカーテンの屋内側面に設けられる手掛け部材に係止部を形成する一方、前記操作具の他端部に、前記係止部に係脱自在に係止する係止受け部が形成された握り部材を設けたことを特徴とする建築用シャッター装置である。
請求項２の発明は、係止受け部は、係止部にスライド係止するように構成されていることを特徴とする請求項１に記載の建築用シャッター装置である。
請求項３の発明は、握り部材は、シャッターカーテンの下端部に設けられる保持部に着脱自在に保持される構成としたことを特徴とする請求項１または２に記載の建築用シャッター装置である。
【発明の効果】
【０００６】
請求項１の発明とすることにより、握り部材を操作しやすい位置に保持することができて操作性よくシャッターカーテンの開放操作ができるものでありながら、シャッターカーテンの材質を限定する必要がなく、汎用性を高めることができる。
請求項２の発明とすることにより、握り部材を手掛け部材に確実に係止保持することができる。
請求項３の発明とすることにより、シャッターカーテンの開放時に握り部材や操作具が邪魔になること、握り部材が騒音を発生すること防止できる。
【図面の簡単な説明】
【０００７】
【図１】図１（Ａ）はシャッターカーテンの全閉姿勢におけるシャッター装置の屋内側からの正面図、図１（Ｂ）はシャッターカーテンの全開姿勢におけるシャッター装置の屋内側からの正面図である。
【図２】図２（Ａ）、（Ｂ）はラッチ錠を説明する正面図、断面図である。
【図３】図３（Ａ）、（Ｂ）、（Ｃ）はそれぞれ手掛け部材の側面図、正面図、係止部が右端部にのみ形成された手掛け部材の正面図である。
【図４】図４（Ａ）、（Ｂ）、（Ｃ）はそれぞれ握り部材の側面図、正面図、側面図である。
【図５】図５（Ａ）、（Ｂ）はそれぞれ握り部材を手掛け部材に係止保持した状態を説明する側面図、正面図、図５（Ｃ）は握り部材を錠ユニットに係止保持した状態を説明する側面図である。
【図６】図６（Ａ）、（Ｂ）はそれぞれ第二の実施の形態における手掛け部材の側面図、正面図、図６（Ｃ）、（Ｄ）、（Ｅ）、（Ｆ）はそれぞれ第二の実施の形態における握り部材の側面図、正面図、側面図、底面図である。
【図７】図７（Ａ）、（Ｂ）はそれぞれ第二の実施の形態において握り部材を手掛け部材に係止保持した状態を説明する側面図、正面図、図７（Ｃ）は握り部材を錠ユニットに係止保持した状態を説明する側面図である。
【発明を実施するための形態】
【０００８】
以下、本発明の第一の実施の形態について、図面に基づいて説明する。
図面において、１は住宅の窓部に設けられるバランス式（手動式）の建築用シャッター装置であって、該シャッター装置１は、窓部に設けられるサッシ窓２の屋外側に設けられている。前記シャッター装置１を構成するシャッターカーテン３は、左右方向に長いスラット４の複数枚を上下方向に連結して構成されており、該シャッターカーテン３の上端部が、躯体開口部の上方に配されるシャッターケース５に正逆回転自在に内装される巻取りドラム６に連結されている。前記巻取りドラム６には、シャッターカーテン３が巻出される（閉鎖作動する）ことに伴い、該巻出されたシャッターカーテン３の自重にバランスする付勢力を蓄勢するように構成されバランス弾機６ａが設けられている。そして、シャッターカーテン３は、左右両側縁部が窓部屋外側の左右に立設されたガイドレール７に嵌挿されて上下方向の移動案内を受けるように構成されており、シャッターカーテン３を下方へ引き下げる閉鎖操作がなされることにより、シャッターカーテン３が巻取りドラム６から巻出されて開口部を閉鎖する全閉姿勢となるとともに、前述したように、バランス弾機６ａが蓄勢され、上方へ引き上げる開放操作がなされることにより、シャッターカーテン３がバランス弾機６ａの付勢力を受ける状態で上動して巻取りドラム６に巻取られ、開口部を開放する全開姿勢となるように構成されており、これらの構成は何れも従来通りである。
【０００９】
ここで、前記シャッターカーテン３は、前述したように複数枚のスラット４を用いて構成されるが、各スラット４は、左右方向に長い長尺体に形成された金属材をロールフォーミングすることによって形成されるものであり、屋内側（外側）に向けて膨出するよう湾曲状に形成されたスラット片部４ａと、該スラット片部４ａの上下縁部（短尺方向両端部）に形成される側面視ロール形状で円弧面を有した第一、第二連結片部（インターロック片）４ｂ、４ｃとにより構成されている。そして、シャッターカーテン３は、下側に位置するスラット４の第一連結片部４ｂと、上側に位置するスラット４の第二連結部４ｃとを、左右方向からスライド嵌入することにより、隣接するスラット４同士の揺動自在な連結がなされ、もって、一連状のシャッターカーテン３が構成されている。
このように構成されたシャッターカーテン３は、インターロック結合部Ｊが屋外側面に突出するように設けられており、このため、屋内側のカーテン面は、図４（Ａ）に示すように、略平滑な面となっていて屋内側からシャッターカーテン３を開閉操作する場合に手掛りとなる突出部がない形状となっている。このため、シャッターカーテン３の屋内側面には、シャッターカーテン３の全閉姿勢において操作者の手の届きやすく、操作しやすい部位に位置するスラット４の左右方向適宜箇所に、主として開放操作する場合の手掛りとなる手掛け部材８が少なくとも一つ設けられているが、該手掛け部材８の構成については後述する。
【００１０】
また、シャッターカーテン３の最下端には座板９が設けられているが、該座板９は、上下方向を向く垂直面で構成されるスラット片部９ａと、該スラット片部９ａの下方から屋内側に延出する下端片部９ｂと、スラット片部９ａの上縁部に形成されるインターロック片部９ｃとを備えて構成されており、該インターロック片部９ｃを介して上側のスラット４に連結されている。前記スラット片部９ａ屋内側面には、下端片部９ｂの上方に位置して上下一対の突片９ｄが屋内側に向けて突出形成されており、これら突片９ｄにより左右方向に貫通する蟻溝状の凹部９ｅが長手方向全長にわたって形成されている。
【００１１】
そして、座板９には左右方向略中央部に位置して施錠装置としてのラッチ錠Ｒが設けられており、シャッターカーテン３が全閉姿勢になることに伴い、左右のガイドレール７下端部の溝底片７ａにそれぞれ設けられたラッチ受け７ｂに自動的に係止することにより、全閉姿勢のシャッターカーテン３を開放規制して施錠状態とするように構成されている。
前記ラッチ錠Ｒを構成する錠ユニット１０は、本実施の形態では、座板９の左右方向中央部より左側に偏寄し、屋内側に突出する凹部９ｅの開口を塞ぐようにして設けられている。そして、錠ユニット１０に、左右のガイドレール７の各ラッチ受け７ｂにそれぞれ係脱自在に係止する左右一対のラッチバー１０ａ、１０ｂの基端部が連結されているが、これらラッチバー１０ａ、１０ｂは、それぞれ座板９の凹部９ｅに嵌入し、該凹部９ｅにガイドされる状態で左右方向への進退移動が自在となるように構成されている。
さらに、錠ユニット１０には、前記一対のラッチバー１０ａ、１０ｂをそれぞれ左右方向外方に進出するよう（施錠状態となるよう）付勢する付勢弾機１０ｃ、１０ｄと、ラッチバー１０ａ、１０ｂに連繋する解錠レバー（本発明の解錠部材に相当する）１０ｅとが設けられている。前記解錠レバー１０ｅは、付勢弾機１０ｃ、１０ｄの付勢力に抗して上動操作がなされることにより、上方位置に変位してラッチバー１０ａ、１０ｂを左右方向内方に向けて退避させるように構成されている。このように、ラッチ錠Ｒは、解錠レバー１０ｅを上動操作することが解錠操作となってラッチバー１０ａ、１０ｂを左右方向内方に退避させるが、解錠レバー１０ｅの上動操作を解除した場合では、前記付勢弾機１０ｃ、１０ｄの付勢力を受けて解錠レバー１０ｅが下方位置に変位するとともに、ラッチバー１０ａ、１０ｂが左右方向外方に向けて進出する自然状態に復帰するように構成されている。さらに、錠ユニット１０には、解錠レバー１０ｅの上方変位と下方変位とを規制する規制部１０ｆ、１０ｇとがそれぞれ設けられており、解錠レバー１０ｅが上方位置を越えて上方変位すること、下方位置を越えて下方変位することをそれぞれ規制するように構成されている。
【００１２】
このように構成されたラッチ錠Ｒの錠ユニット１０は、シャッターカーテン３が開放している状態から閉鎖操作され、シャッターカーテン３が閉鎖作動している状態では、一対のラッチバー１０ａ、１０ｂは左右方向外方に進出する自然状態となっている。そして、前記状態からシャッターカーテン３が全閉姿勢に閉鎖作動する過程では、左右のラッチバー１０ａ、１０ｂは、ガイドレール７のラッチ受け７ｂに当接し、この状態からさらに閉鎖作動することにより、ラッチバー１０ａ、１０ｂがラッチ受け７ｂに押圧される状態で付勢弾機の付勢力に抗して左右方向内方に退避しつつ下動し、ラッチバー１０ａ、１０ｂがラッチ受け７ｂの下方に至る（乗り越える）ことに伴い、ラッチバー１０ａ、１０ｂがラッチ受け７ｂの下方で左右方向外方に向けて進出する自然状態となり、ラッチバー１０ａ、１０ｂとラッチ受け７ｂとが係止することによりシャッターカーテン３の開放を規制するように構成されている。これによって、ラッチ錠Ｒは、シャッターカーテン３の全閉姿勢への変姿に伴い、自動的にシャッターカーテン３を施錠状態とするように構成されている。
これに対し、シャッターカーテン３を開放操作する場合では、錠ユニット１０の解錠レバー１０ｅを上動操作（解錠操作）して上方位置に変位せしめ、ラッチバー１０ａ、１０ｂを付勢力に抗して左右方向内方に向けて退避させ、ラッチバー１０ａ、１０ｂとラッチ受け７ｂとの係止を解除するべくラッチ錠Ｒの解錠操作をしながら、シャッターカーテン３を開放操作することにより、シャッターカーテン３が開放するように構成されている。
【００１３】
そして、前記ラッチ錠Ｒの解錠レバー１０ｅに、本発明の操作具に相当し、シャッターカーテン３の開閉操作をするための操作紐１１の一端部１１ａが連結されている。前記操作紐１１は、樹脂製ロープ、紐体、帯状体、ワイヤ等、長尺状で、かつ、可撓性のある材料で構成することができ、本実施の形態では、樹脂製ロープが用いられている。そして、操作紐１１の他端部１１ｂには、本発明が実施された握り部材１２が連結されており、操作紐１１、または、握り部材１２を把持して上下方向に操作することにより、該操作力が解錠レバー１０ｅを介してシャッターカーテン３に作用して、シャッターカーテン３の開閉作動がなされるように構成されている。そして、後述するように、シャッターカーテン３の開閉操作の後に、握り部材１２を、操作者が操作しやすい高さのスラット４に設けられた手掛け部材８に係脱自在に係止させることで、握り部材１２を操作者が無理な姿勢をすることなく手が届く操作しやすい高さに保持することができるように構成されている。
【００１４】
前記手掛け部材８は、図３に示すように、樹脂材で一体型成形されているものであって、スラット４の屋内側に膨出するスラット片部４ａの屋内側面に沿う湾曲状の屋外側面部８ａを有した左右方向長尺体に形成されており、図５（Ａ）に示すように、スラット片部４ａとの間に介装される両面接着テープ１３による一体化手段を用いてスラット片部４ａに固定されている。尚、一体化手段としては、リベット止着等の固定手段を用いることも可能である。
前記手掛け部材８の屋内側面部８ｂは、屋外側に向けて凹設された凹溝形状に形成されており、上下方向中間部には、屋内外方向の板厚が薄い薄板状部８ｃが形成されている。そして、屋内側面部８ｂは、薄板状部８ｃから上下方向に向けて次第に板厚が厚くなるよう屋内側に突出しており、これによって、屋内側面部８ｂの上下端縁部に、操作者の手掛りとなるべく屋内側に突出する手掛け部８ｄ、８ｅが形成されている。さらに、手掛け部材８の左右方向少なくとも一端部であって、本実施の形態では、図３（Ｂ）に示すように、左右方向両端部に本発明の係止部に相当する係止突部８ｆがそれぞれ形成されている。
【００１５】
前記係止突部８ｆは、手掛け部材８の上下方向中間部の薄板状部８ｃの左右端縁部から左右方向外方に向けて突出するとともに、屋内側に向けて突出して形成されており、これによって、薄板状部８ｃの板厚よりも厚い板厚に形成されているが、該係止突部８ｆの屋内側端面位置は、上下端部の手掛け部８ｄ、８ｅにおける屋内側端面位置を越えることはなく、これによって、シャッターカーテン３を巻取りドラム６に巻装したとき、係止突部８ｆが巻径を崩してしまうようなことがないように構成されている。
さらに、係止突部８ｆは、上下端部の屋外側部位を切欠くことにより係止突部８ｆの上下端部に薄板状の保持片８ｇが形成されており、これら保持片８ｇの間の中間片８ｈは屋外側面部８ａと面一状となっており、これによって、係止突部８ｆは側面視Ｔ字形状に形成されている。また、係止突部８ｆは、先端ほど細形状となるようガイド面８ｉが形成されている。
ここで、係止突部８ｆは、図３（Ｃ）に示すように、手掛け部材８の左右方向一方にのみ形成するようにしてもよく、係止突部８ｆを左右方向両端部に設けた場合では、操作者の姿勢（操作位置）に応じて左右何れかの係止突部８ｆを選択して握り部材８を係止させることができるという利点がある。
【００１６】
一方、前記握り部材１２は樹脂材を用いて四角形状に一体形成されている。ここで、握り部材１２の構成を説明するにあたり、図５（Ｂ）に示すように、握り部材１２が手掛け部材８の左側の係止突部８ｆに係止した係止姿勢を基準として説明する。
前記握り部材１２は、左半部に操作紐１１の他端部１１ｂが挿通する挿通孔１２ａと、前記挿通孔１２ａに連通し、操作紐他端部１１ｂに形成される結び玉１１ｃが抜け止めされた状態で保持される引き出し用孔１２ｂとが形成され、握り部材１２の右半部に、手掛け部材８に突出形成された係止突部８ｆに係脱自在に係止する本発明の係止受け部１２ｃが形成されている。前記係止受け部１２ｃは、手掛け部材８の左側端部から突出する係止突部８ｆを外嵌するようにスライド嵌合する側面視Ｔ字形状の凹穴に形成されている。つまり、係止受け部１２ｃは、左端側の穴底面を構成する左側片１２ｄと、屋内側の穴底面を構成する屋内側片１２ｅと、屋内側片１２ｅから屋外側に延出し、上下の穴側面を構成する一対の上下側片１２ｆとを備えるとともに、これら上下側片１２ｆの屋外側端縁からそれぞれ近接する側に延出する上下一対の屋外側片１２ｇとを備えて形成されており、これによって、凹穴の右端側の右端側開口１２ｈと、屋外側の屋外側開口１２ｉとが連通状に開設された側面視Ｔ字形状の凹穴を構成するように形成されている。
そして、係止受け部１２ｃは、右側開口１２ｈを係止突部８ｆのガイド面８突出端に対向させ、屋外側開口１２ｉに係止突部８ｆの中間片８ｈを位置させる状態として右方向にスライドして、上下側片１２ｆおよび上下の屋外側片１２ｇが手掛け部材８の左側端面に突き当たるように装着する（挿し込む、外嵌させる）ことにより、係止突部８ｆの保持片８ｇが握り部材１２の屋内側片１２ｅと上下の屋外側片１２ｇとの間に挟持状に内嵌され、これによって、握り部材１２が係止突部８ｆから脱落することなく係止保持されるように構成されている。このとき、握り部材１２の屋内側片１２ｅと上下の屋外側片１２ｇとは、手掛け部材８の保持片８ｇに対してスライド嵌合することにより左右方向に長く係止される状態となり、これによって、握り部材１２の係止突部７ｆへの係止保持が一層確実になるように構成されている。
尚、握り部材１２の係止突部８ｆへの係止姿勢において、上下の屋外側片１２ｇは、手掛け部材８の中間片８ｈの屋外側端面と面一状に形成されていて、握り部材１２を操作性よく係止突部８ｆに係止させることができるように構成されている。
【００１７】
一方、シャッターカーテン３最下端に設けられる座板９に配された錠ユニット１０は、ケーシング１０ｆを備えており、ラッチバー１０ａ、１０ｂの基端部、付勢弾機１０ｃ、１０ｄ、解錠レバー１０ｅの基端部を屋内側から覆うように構成さている。そして、ケーシング１０ｆの屋内側面には、逆Ｌ字形の溝形状をした凹溝部１０ｇが形成されており、該凹溝部１０ｇの上部右方部位は上下方向の溝幅が狭く、下方部位は左右方向の溝幅が狭くなっている。
これに対し、握り部材１２の左半部には、突起１２ｊが左側に向けて突出形成されており、握り部材１２の突起１２ｊを含む左右方向の全長が、前記凹溝部１０ｇの下方部位における左右方向の溝幅と同じ長さとなるように形成されている。これによって、握り部材１２は、シャッターカーテン３の下端部に設けられる保持部としての凹溝部１０ｇの下方部位に嵌め込まれる（嵌着される）ことで、ケーシング１０ｆ（シャッターカーテン３の下端部）に着脱自在に保持されるように構成されている。
【００１８】
このように構成された握り部材１２は、シャッターカーテン３の全閉姿勢では、図１（Ａ）、図５（Ｂ）に示すように、解錠レバー１２ｅに連結される操作紐１１を上方に引き回し、係止受け部１２ｃの右端側開口１２ｈを手掛け部材８の係止突部８ｆに対向させて右方に向けてスライドさせることにより、手掛け部材１２が上下の保持片８ｇに係止保持される状態となり、これによって、握り部材１２を、操作者が屈んだりすることなく手が届いて操作しやすい位置に保持することができて、操作者が全閉姿勢となっているシャッターカーテン３を開放操作する場合に、無理な姿勢をすることなく握り部材１２（操作紐１１）を把持することができ、円滑な操作が行えるように構成されている。因みに、握り部材１２の係止突部８ｆへの係止操作は、係止突部８ｆの突出先端に先細状となるようガイド面８ｉが形成されていることにより、右端側開口１２ｈを係止突部８ｆに外嵌させる操作が容易にできるように構成されている。
【００１９】
そして、シャッターカーテン３を開放操作する場合では、操作者は、握り部材１２を把持し、左側にスライドさせることで手掛け部材８の係止突部８ｆから握り部材１２を取外し、この状態から、握り部材１２（操作紐１１）を上方に向けて引き上げる上動操作をすることにより、シャッターカーテン３が開放作動するように構成されている。この場合に、操作紐１１の上動操作が開始されると、操作紐１１からの上動力がまず解錠レバー１０ｅに作用して、解錠レバー１０ｅが下方位置から上方位置に変位することによりラッチ錠Ｒが解錠し、続いて、操作紐１１の上動力が上方位置にある解錠レバー１０ｅを介してシャッターカーテン３の座板９に作用し、ラッチ錠Ｒを解錠したままの状態でシャッターカーテン３が開放作動するように構成されている。これによって、シャッターカーテン３の開放操作では、操作者が無理な姿勢をすることなく握り部材１２（操作紐１１）を把持し、上動操作することでシャッターカーテン３の開放作動を容易に行えるように構成されている。
尚、操作紐１１の上動操作が停止されて、操作紐１１に作用する上動力が消失すると、解錠レバー１０ｅは自動的に下方位置に復帰して自然状態となり、シャッターカーテン３の全開姿勢への変姿の過程で握り部材１２（操作紐１１）から手を放すと、握り部材１２（操作紐１１）は自重垂下する状態で開口部に垂下する。
【００２０】
一方、シャッターカーテン３の全開姿勢において、操作紐１１が開口部に垂下した状態であると、操作紐１１や握り部材１２が開口部に露出して邪魔になるという問題と、強風が発生した場合に握り部材１２が周辺の部材に当接して騒音を発生するという問題を考慮する必要がある。これに対し、このものでは、握り部材１２を、図１（Ｂ）、図５（Ｃ）に示すように、座板９に設けられた錠ユニット１０のケーシング１０ｆに形成される凹溝部１０ｇの下方部位に嵌着することで、ケーシング１０ｆに係止保持させることができるように構成されている。これによって、握り部材１２が邪魔になったり、強風に煽られた握り部材１２が周辺部材に当接して騒音を発生するようなことを防止できるように構成されている。
【００２１】
そして、前記状態からシャッターカーテン３を閉鎖操作する場合では、握り部材１２を錠ユニット１０のケーシング１０ｆから取外し、そのまま握り部材１２（操作紐１１）を把持する状態で下方に向けて引き下ろす下動操作することにより、該下動力が下方位置の解錠レバー１０ｅを介してシャッターカーテン３に作用し、これによって、シャッターカーテン３が閉鎖作動するように構成されている。そして、シャッターカーテン３が全閉姿勢となった状態では、前述したように、握り部材１２を屈むことなく手が届く手掛け部材８の係止突片８ｈにスライド嵌合して係止保持させることにより、握り部材１２をつぎの開放操作をしやすい位置に保持できるように構成されている。
このように、操作紐１１の他端部１１ｂに握り部材１２を設けることにより、シャッターカーテン３の開閉操作をする場合に、無理な姿勢をすることなく握り部材１２や操作紐１１を把持できて、シャッターカーテン３の開閉操作を円滑、かつ、容易にできるばかりでなく、シャッターカーテン３の全開姿勢において握り部材１２が邪魔になったり、強風に煽られて騒音が発生するようなことを防止できるように構成されている。
【００２２】
叙述の如く構成された本形態において、操作紐１１の操作によりラッチ錠Ｒの解錠とともにシャッターカーテン３の開放、閉鎖をすることができるものであるが、操作紐１１の他端部１１ｂには握り部材１２が設けられていて、シャッターカーテン３の全閉姿勢において、握り部材１２を、シャッターカーテン３の操作しやすい高さに設けられた手掛け部材８の係止突部８ｆにスライド嵌合させることで、操作者が無理な姿勢をすることなく握り部材１２や操作紐１１を把持できる位置に保持することができ、全閉姿勢のシャッターカーテン３をつぎに開放操作する場合に、円滑に開放操作することができる。しかも、この場合に、操作紐１１や握り部材１２を操作しやすい位置に保持するための手段として、握り部材１２を手掛け部材８に形成された係止突部８ｆに係止保持する構成としたので、従来の握り部材に磁石を設けるもののように、シャッターカーテン３の材料を磁石が着磁可能なものに限定する必要がなく、汎用性を高めることが可能となる。
【００２３】
さらに、本発明が実施されたものにあっては、シャッターカーテン３の全閉姿勢において、操作紐１１の他端部１１ｂに設けた握り部材１２の係止受け部１２ｃを、手掛け部材８の係止突部８ｆに係止保持させる構成であるが、この場合に、握り部材１２は係止突部８ｆに対してスライド嵌合して係止する構成としたので、係止突部８ｆと握り部材１２との係止長さが長くなり、係止保持が確実で、脱落の惧れがないようにできる。
【００２４】
そのうえ、このものでは、シャッターカーテン３の開放時において、握り部材１２を錠ユニット１０に形成される凹溝部１０ｇに係止保持することができるので、操作紐１１や握り部材１２が開口部に垂下して邪魔になったり、強風時に握り部材１２が他部材に当接して騒音が発生するような不具合を確実に防止することができる。
【００２５】
尚、本発明は前期実施の形態に限定されないことは勿論であって、施錠装置としては、前述のラッチ式のものに限定されることはなく、解錠部材が、シャッターカーテンの開放方向の変位で解錠操作されるものであれば、どのような解錠装置であっても採用することができる。因みに、他の解錠装置としては、床側の水切り部やガイドレールの溝底片に設けた係止受けに係脱自在に係止する係止具が設けられる施錠装置等とすることができる。また、シャッターカーテンの開放方向の変位で解錠操作される解錠部材としては、シャッターカーテンの幅方向全長にわたって設けられる解錠操作具であってもよい。
【００２６】
つぎに、図６、７に示す第二の実施の形態について説明する。尚、第二の実施の形態において、第一の実施の形態と同様の構成の部材については同様の符号を付すことにより説明を省略する。
第二の実施の形態において、シャッターカーテン３の全閉姿勢で、無理なく手の届く位置のスラット４に設けられる手掛け部材１４は、図６に示すように、スラット４のスラット片部４ａに沿うよう湾曲状の屋外側面部１４ａを有し、図７（Ａ）に示すように、スラット片部４ａとの間に介装される両面接着テープ１３による一体化手段を用いてスラット片部４ａに固定されている。そして、手掛け部材１４の屋内側面部１４ｂは、上下方向中間部に屋内外方向の板厚が薄い薄板状部１４ｃが形成され、該薄板状部１４の上下端縁部に操作者の手掛りとなる手掛け部１４ｄ、１４ｅが形成されていることは前記第一の実施の形態の手掛け部材と同様の構成となっている。そして、手掛け部材１４の左右方向少なくとも一端部であって、本実施の形態では、図６（Ｂ）に示すように、左右方向両端部に本発明の係止部１４ｆがそれぞれ形成されている。
前記係止部１４ｆは、手掛け部材１４の上下方向中間部の薄板状部１４ｃの左右端部に形成される四角形状の係止溝１４ｇと、該係止溝１４ｇの上下端縁部から屋内側に向けて突出形成され、係止溝１４ｇ側に向けて突出する爪体１４ｈを備えた係止爪片１４ｉとにより構成されている。前記係止爪片１４ｉの屋内側端面位置は、上下の手掛け部１４ｄ、１４ｅにおける屋内側端面位置を越えることはなく、これによって、シャッターカーテン３を巻取りドラム６に巻装したとき、係止部１４ｆが巻径を崩してしまうようなことがないように構成されている。
尚、係止部１４ｆは、手掛け部材１４の左右方向一方にのみ形成してもよいことは、前記第一の実施の形態と同様である。
【００２７】
一方、握り部材１５は樹脂材を用いて四角形状に一体形成されるが、該握り部材１５の上下寸法は、手掛け部材１４の係止部１４ｆに形成される係止溝１４ｇに内嵌可能な上下長さに設定されている。そして、握り部材１５には、図６（Ｃ）〜（Ｆ）に示すように、左側部位に操作紐１１の他端部１１ｂが挿通する左端側の挿通孔１５ａと、前記挿通孔１５ａに連通し、操作紐他端部１１ｂに形成される結び玉１１ｃが抜け止め状に配される引き出し用孔１５ｂとが形成され、右側部位に手掛け部材１４の係止部１４ｆに係脱自在に係止する本発明の係止受け部１５ｃが形成されている。前記係止受け部１５ｃは、屋外側に形成された段差部１５ｄにより右端部側より薄板状に形成されており、係止受け部１５ｃにおける屋内外方向の寸法は、係止部１４ｆにおける係止溝１４ｇの溝底から係止爪片１４ｉの屋内側突出端部までの寸法と略同様になるように設定されている。さらに、係止受け部１５ｃは上下端部を屋内側から切欠くことにより、係止爪片１４ｉの爪体１４ｈと係止溝１４ｇとの対向寸法に相当する板厚を有した上下一対の保持片１５ｅが形成されている。
【００２８】
そして、係止受け部１５ｃは、保持片１５ｅを係止部１４ｆの係止溝１４ｇの溝底片と係止爪片１４ｉの爪体１４ｈとの間に対向させ、この状態から握り部材１４を右方向にスライドさせ、屋外側面に形成される段差部１５ｄが手掛け部材１４の左側端面に突き当たるように装着する（挿し込む）ことにより、保持片１５ｅが係止溝１４ｇの溝底片と爪体１４ｈとの間に位置し、爪体１４ｈにより保持片１５ｅが屋内側に脱落するのが規制され、これによって、握り部材１５が手掛け部材１４から脱落することなく係止保持されるように構成されている。
【００２９】
また、前記握り部材１５の上下方向の寸法は、錠ユニット１０のケーシング１０ｆに形成される凹溝部１０ｇの上部右方部位における上下方向の溝幅と同じ長さとなるように形成されている。これによって、シャッターカーテン３の開放時に、握り部材１４を、シャッターカーテン３の下端部に設けられる保持部としての凹溝部１０ｇの上部右方部位に嵌め込む（嵌着させる）ことにより、ケーシング１０ｆ（シャッターカーテン３の下端部）に着脱自在に保持することができるように構成されている。
【００３０】
このように構成された握り部材１５は、シャッターカーテン３の全閉状態において、図７（Ｂ）に示すように、手掛け部材１４の係止部１４ｆにスライド装着して係止保持させることにより、握り部材１５と操作紐１１とを操作者が無理な姿勢をすることなく手が届く部位に保持することができ、また、シャッターカーテン３の開放状態においては、握り部材１５を錠ユニット１０の凹溝部１０ｇに嵌め込むことにより握り部材１５や操作紐１１が邪魔にならないようにすることができる。この結果、第一の実施の形態と同様に、シャッターカーテン３の材料を磁石が着磁可能なものに限定する必要がなく、汎用性を高めることが可能となるうえ、握り部材１４と手掛け部材１５の係止部１５ｆとの係止がスライド装着によるものとすることで、互いの係止長さが長くなって手掛け部材１５への係止保持が確実で、脱落の惧れがないようにできる。
【産業上の利用可能性】
【００３１】
本発明は、住宅等の建築物の開口部に設けられる建築用開閉装置に利用することができる。
【符号の説明】
【００３２】
１  建築用シャッター装置
３  シャッターカーテン
４  スラット
４ａ  スラット片部
６  巻取りドラム
７  ガイドレール
７ｂ  ラッチ受け
８  手掛け部材
８ｆ  係止突部
８ｇ  保持片
１０  錠ユニット
１０ｅ  解錠レバー
１１  操作紐
１２  握り部材
１２ｃ  係止受け部
１２ｇ  屋外側片
１２ｊ  突起
【図１】
2010236227.tif 000003
【図２】
2010236227.tif 000004
【図３】
2010236227.tif 000005
【図４】
2010236227.tif 000006
【図５】
2010236227.tif 000007
【図６】
2010236227.tif 000008
【図７】
2010236227.tif 000009